(57)【特許請求の範囲】
【請求項１】
躯体の胴縁材に壁ツナギ用アンカーナットが固定され、この壁ツナギ用アンカーナットが開口部を通して外部に露出する状態で外壁板が胴縁材に取り付けられ、前記開口部内において、壁ツナギ用アンカーナットのネジ穴が閉鎖部材により着脱可能に塞がれると共に、この閉鎖部材の上から開口部がコーキングされ、このコーキング内に磁石が埋設されていることを特徴とした足場の壁ツナギ用アンカーナットのコーキング構造。
【請求項２】
請求項１記載の足場の壁ツナギ用アンカーナットのコーキング構造において、閉鎖部材が壁ツナギ用アンカーナットのネジ穴に螺合した埋めボルトである足場の壁ツナギ用アンカーナットのコーキング構造。
【発明の詳細な説明】
【０００１】
【発明の属する技術分野】
本発明は、建築物を構築する際に組み立てられる仮設足場を躯体の胴縁材に連結するのに使用される足場の壁ツナギ用アンカーナット（以下、アンカーナットという）のコーキング構造に関する。
【０００２】
【従来の技術】
建築物を構築する際に組み立てられる仮設足場は、躯体の胴縁材に固定されたアンカーナットに壁ツナギ用連結ボルト（以下、連結ボルトという）を介して連結される。この仮設足場は、外壁板を胴縁材に取り付けたり、外壁板間の継ぎ目間隙をコーキングしたり、外壁板を塗装する等の外壁工事が終了したのちに解体されることになる。この解体に際し、連結ボルトがあった場所には、アンカーナットが外部に露出する状態で開口部が残ることから、この開口部については連結ボルトを取り外したのち、これをコーキングにより埋め戻すようにしている。
【０００３】
【発明が解決しようとする課題】
ところで、建築物はある程度の年数が経過すると、外壁塗装の塗り替えやリフォーム等のメンテナンス工事を行なうことが多い。このメンテナンスに際し、仮設足場を組み立てるには、新たに連結ボルトを取り付けることになるが、ＡＬＣ板や中空押出成型による外壁板は、後からのアンカーナットの打設が板の性質上困難であるし、強度のあるアンカーナットもないため、この連結ボルトの取り付け作業に多大の労力と手間がかかるという問題があった。
【０００４】
本発明は、上述のような従来の問題を解決するためになされたもので、建築当初に取り付けたアンカーナットをメンテナンスの際に再利用できるようにして、メンテナンス時における連結ボルトの取り付け手間を省き、仮設足場の組立て作業能率を向上できるようにしたアンカーナットのコーキング構造を提供することを課題としている。
【０００５】
【課題を解決するための手段】
上記課題を解決するために、本発明（請求項１）の足場の壁ツナギ用アンカーナットのコーキング構造は、
躯体の胴縁材に壁ツナギ用アンカーナットが固定され、この壁ツナギ用アンカーナットが開口部を通して外部に露出する状態で外壁板が胴縁材に取り付けられ、前記開口部内において、壁ツナギ用アンカーナットのネジ穴が閉鎖部材により着脱可能に塞がれると共に、この閉鎖部材の上から開口部がコーキングされ、このコーキング内に磁石が埋設されている構成とした。
【０００６】
この場合、閉鎖部材が壁ツナギ用アンカーナットのネジ穴に螺合した埋めボルトである態様（請求項２）がある。
【０００７】
本発明は、新築工事の際に使用され、強固に取り付けられているアンカーナットに閉鎖部材を取り付け、その上に磁石をかぶせておく。あとは従来通りの防水処理、仕上げ塗装等の施工を行なう。
数年後のメンテナンス工事に際し、外部足場が必要なとき、市販の方位磁石を用いて埋設された磁石の位置を捜すことによってアンカーナットが設置されている場所を知ることができるようにしたものである。
即ち、建築当初に取り付けたアンカーナットを、後日（メンテナンス時等）になって捜し出すことができるようにしたコーキング構造である。その捜し出す方法には、方位磁石を使用するもので、この方位磁石がコーキング内に埋設した磁石に反応する位置がアンカーナットの配設位置を示すことになる。
【０００８】
通常、アンカーナットは外壁板の継ぎ目間隙上に配設されているため、作業者が方位磁石を手に持ち、これを外壁板の継ぎ目に沿って移動させていくと、コーキング内に埋設した磁石に反応して方位磁石の針が外壁面に向けて振れる場所が見つかる。この方位磁石の針が最も強く反応した場所がコーキング内に埋設した磁石の位置であり、アンカーナットの配設位置であることを示している。
【０００９】
このようにしてアンカーナットの配設位置を捜したのちは、その位置で外壁の表面を削っていけば、まず磁石が露出し、続いて閉鎖部材が現われる。そして、この閉鎖部材を取り出せば、アンカーナットのネジ穴が現われるため、これをメンテナンス時のアンカーナットとして再利用することができる。尚、ネジ穴は閉鎖部材によって塞がれていたため、このネジ穴がコーキングによって埋められることはなく、アンカーナットとして支障なく再利用することができる。
【００１０】
【発明の実施の形態】
以下、本発明の実施の形態を図面により説明する。図１は本発明の足場の壁ツナギ用のアンカーナットのコーキング構造の実施の第１形態を示す断面図である。
【００１１】
図において、１は躯体の骨組みを構成する胴縁材で、この胴縁材１にアンカーナット２が溶接によって固定されると共に、外壁板３，３が取り付けられている。
【００１２】
前記アンカーナット２は、仮設足場を組み立てる際のアンカーとなるもので、外壁板３，３の継ぎ目間隙３０に位置するように予め配設されている。そして、このアンカーナット２に壁ツナギ用連結ボルト（図示せず）を介して仮設足場（図示せず）を連結し、この仮設足場を足が掛りとして外壁板３，３を胴縁材１に取り付けると共に、継ぎ目間隙３０をコーキングすることになる。この場合、連結ボルトの部分は、コーキングすることができないため、外壁施工後に連結ボルトを外して仮設足場を解体すると、その連結ボルトがあった部分には、アンカーナット２が外部に露出する状態の開口部４が残る。従って、この開口部４については、連結ボルトを取り外したのち、コーキングによって埋め戻すことになる。
【００１３】
ここで、この開口部４をコーキングによって埋め戻す際に、アンカーナット２のネジ穴２０を閉鎖部材としての鉄部材５０により着脱可能に塞ぐと共に、この鉄部材５０の上に磁石（永久磁石）６を吸着させ、その上からコーキング７により開口部４を埋め戻すようにしている。
【００１４】
従って、この足場の壁ツナギ用アンカーナット２のコーキング構造では、開口部４内において、アンカーナット２のネジ穴２０が鉄部材５０により着脱可能に塞がれると共に、この鉄部材５０の上から開口部４がコーキング７され、このコーキング７内に磁石６が埋設されたものとなっている。
【００１５】
このように、磁石６がコーキング７内に埋設されているため、方位磁石を用いて、この方位磁石が反応する場所を見つければ、アンカーナット２が配設されている場所を捜し出すことができる。即ち、アンカーナット２は、通常は外壁板３，３の継ぎ目間隙３０上に配設されているため、作業者が方位磁石を手に持ち、これを外壁板３，３の継ぎ目間隙３０に沿って移動させていくと、コーキング７内に埋設した磁石６に反応して方位磁石の針（例えばＳ極）が外壁面３に向けて振れる場所が見つかる。この方位磁石の針が最も強く反応した場所がコーキング７内に埋設した磁石６の位置であり、アンカーナット２の配設位置であることを示している。
【００１６】
このようにしてアンカーナット２の配設位置を捜したのちは、その位置で外壁の表面を削っていけば、まず磁石６が露出し、続いて鉄部材５０が現われる。そして、この鉄部材５０を取り出せば、アンカーナット２のネジ穴２０が現われるため、これをメンテナンス時のアンカーナット２として再利用することができる。尚、ネジ穴２０は鉄部材５０によって塞がれていたため、このネジ穴２０がコーキング７によって埋められることはなく、アンカーナット２として支障なく再利用することができる。
【００１７】
次に、図２は本発明の足場の壁ツナギ用アンカーナットのコーキング構造の実施の第２形態を示す断面図である。この場合、外壁板３，３の板厚が厚いことに対応して、閉鎖部材として、アンカーナット２のネジ穴２０に螺合した埋めボルト５１を用いている点に特徴がある。
【００１８】
外壁板３の板厚が厚いと、開口部４の深さが深くなり、磁気が反応しないし、又、閉鎖部材を取り出すのに手間がかかる。そこで、螺合状態で頭部が外壁板３の表面近傍に位置するような埋めボルト５１を閉鎖部材として用い、この埋めボルト５１の頭部に形成された六角穴５２（ドライバー用のプラス溝やマイナス溝でもよい）を利用してレンチにより埋めボルト５１を後退回動させれば、簡単に埋めボルト５１を開口部４から取り出すことができる。尚、その他の構成は実施の第１形態と同様であるため、図面の符号を同一にして説明を省略する。
【００１９】
以上、本発明の実施の形態を図面により説明したが、具体的な構成はこれに限られることはない。例えば、閉鎖部材としては、鉄部材５０や埋めボルト５１以外に、プラスチック材等を使用したり、又、磁石７を閉鎖部材に兼用することもできるもので、要は、アンカーナットのネジ穴をコーキングで埋めることがないように、ネジ穴を塞ぐことができるものであればよい。又、磁石についても、その形状は、塊状、シート状を問わない。
【００２０】
又、アンカーナットは、施工条件等によって外壁材の継ぎ目間隙以外の場所に配設されることがあり、この場合も、開口部をコーキングによって埋め戻すことには変わりなく、本発明を適用することができるのは勿論である。
【００２１】
【発明の効果】
以上説明してきたように、本発明の足場用アンカーのコーキング構造にあっては、上記のように構成したため、建築当初に取り付けたアンカーナットの位置を方位磁石によって簡単に見つけ出すことができる。従って、メンテナンスに際し、建築当初に取り付けたアンカーナットを再利用することができるため、メンテナンス時における連結ボルトの取り付け手間を省き、仮設足場の組立て作業能率を大幅に向上できるという効果が得られる。
【図面の簡単な説明】
【図１】本発明の実施の第１形態である足場の壁ツナギ用アンカーナットのコーキング構造を示す断面図である。
【図２】本発明の実施の第２形態である足場の壁ツナギ用アンカーナットのコーキング構造を示す断面図である。
【符号の説明】
１  胴縁材
２  壁ツナギ用アンカーナット
２０  ネジ穴
３  外壁板
３０  継ぎ目間隙
４  開口部
５０  鉄部材（閉鎖部材）
５１  埋めボルト（閉鎖部材）
６  磁石
７  コーキング
【図１】
0004008603.tif 000002
【図２】
0004008603.tif 000003